(57)【要約】  【課題】人目に触れない屋根裏に於ける漏水を、電源やその為の配線設備なしで、安価に検知できる検知装置を取得する。  【解決手段】漏水帯２の電線を漏水検知トランジスタ４を備えた漏水検知回路３に接続し、該漏水検知回路３をＣＰＵ６に接続して前記漏水検知トランジスタ４による漏水検知動作開始を該ＣＰＵ６に入力し該漏水検知状態の所定時間の継続の検出によってのみ漏水と判定してブザーＢＺの回路を駆動させてブザーＢＺを鳴動するように構成した簡易漏水検出装置１であって、上記漏水検知回路３及びＣＰＵ６はバッテリー７を電源とするので、コンセントが不要である。漏水検知装置１は屋根裏における空調機器類の配管の漏水を検出するため天井裏に設置し、瑕疵担保期間１年を越えて検知に役立てた後は使い捨て得る、即ち、ディスポーザブル自在に提供する。【選択図】  図１
2008014793.tif 000002
【特許請求の範囲】
【請求項１】
漏水によって電極を短絡させるようにした漏水帯の電線を漏水検知トランジスタを備えた漏水検知回路に接続し、更に、該漏水検知回路をＣＰＵに接続して前記漏水検知トランジスタによる漏水検知動作開始を該ＣＰＵに入力し、該漏水検知状態が所定時間継続したことを検出することによってのみ漏水と判定してブザーを鳴動するように構成した簡易漏水検出装置であって、
上記漏水検知回路及びＣＰＵはバッテリーを電源として成り、該漏水検知回路は、出荷時におけるジャンパーピンの位置を設置稼働開始時のジャンパーピンの位置に差し替えて電源を入力する構成とし、更に、上記漏水検知器は屋根裏における空調機器類の配管等の水廻りの漏水を検出するために天井裏に設置し、且つ、ディスポーザブル自在に用いられるように構成されてなることを特徴とする簡易漏水検知装置。
【請求項２】
上記漏水検知回路、ＣＰＵ、ブザー、バッテリーを配設した基板が、カバー及びインシュロックを具備するケースの底板部分に固定され、該ケースに収納されてなることを特徴とする請求項１記載の簡易漏水検知装置。
【発明の詳細な説明】
【技術分野】
【０００１】
本発明は、簡易漏水検知装置に関するものであり、特に、コンセントの存在しない屋根裏における空調機器類の配管や水廻りから生じる水の漏洩を簡単な機構で検出する簡易漏水検知装置であって、且つ、電源用の配線を不要とする簡易漏水検出装置に関するものである。
【背景技術】
【０００２】
従来から、建造物等における水道管等の水廻り機器から生じる水の漏洩を検知することを目的として種々の漏水検出手段が提唱されている。
【０００３】
而して、従来の漏水検出手段は建造物等における漏水を速やかに検出することを目的として、水道管近傍に配設した二つの導体末端をリレーユニットに接続し、通常は電気的に開回路であるが、漏水発生時には流れた水がプラスの電極支持台座とマイナスの電極支持台座を覆うことによって閉回路となって、漏水発生を検知し警報を発するように構成されている（「特許文献１」参照）。
【特許文献１】特開２００２−３６４０２８号公報
【発明の開示】
【発明が解決しようとする課題】
【０００４】
上記特許文献１に開示の漏水検知遮断装置は、簡単且つ速やかな漏水検出を狙いとするが、漏水検知に資する操作盤の電力は商用電源を必要とする。即ち、該操作盤に電力を供給する操作盤電源ケーブルは交流電源のコンセントを介して電力の供給を受ける必要がある。
【０００５】
従って、斯かる電源を得るためには予め電源設備を設置し、且つ、所望の配線設備を完備しておく必要があり、該電源設備及び配線も高価であるという欠点を免れなかった。
【０００６】
特に、水の漏洩を視覚により認識することが困難な屋根裏において水漏れがあった場合、聴覚によって漏水を感得する手法を採用する外はなく、しかも、該屋根裏にあっては、漏水検知手段を稼働させる電源となるコンセントが存在しないから、電源部分から給電する場合は、必然的に長い配線設備を必要とし、コスト高を免れない。
【０００７】
しかも、屋根裏に設置した空調機器類やその配管等の隠れたる部分に設置された製品の瑕疵担保責任は売買から１年という短期間であり、瑕疵修補の請負も引渡しから１年の短期間であるところ（土地の工作物の請負では引渡しから５年）、製品供給業者が当該瑕疵担保責任追及期間を経過して長期間に亘って稼働させる漏水検知機器を提供するには及ばない。そこで、電源用の配線費用がかさむことをできるだけ避けたいという要望が生じてきた。
【０００８】
斯かる状況を反映して、上記隠れた部分である屋根裏において、電源用の配線をなくして、安価に、漏水検知装置を設置するために如何に対処するべきかにつき解決すべき課題が発生してきた。
【０００９】
換言するならば、漏水が視覚から分かりにくいところの屋根裏に設置する漏水検知装置であって、可及的に電気配線をなくして安価に漏水検知装置を提供するために解決すべき技術的課題が生じたのであり、本発明はこの課題を解決することを目的とする。
【課題を解決するための手段】
【００１０】
本発明は、上記目的を達成するために提案されたものであり、請求項１記載の発明は、漏水によって電極を短絡させるようにした漏水帯の電線を漏水検知トランジスタを備えた漏水検知回路に接続し、更に、該漏水検知回路をＣＰＵに接続して前記漏水検知トランジスタによる漏水検知動作開始を該ＣＰＵに入力し、該漏水検知状態が所定時間継続したことを検出することによってのみ漏水と判定してブザーを鳴動するように構成した簡易漏水検出装置であって、
上記漏水検知回路及びＣＰＵはバッテリーを電源として成り、該漏水検知回路は、出荷時におけるジャンパーピンの位置を設置稼働開始時のジャンパーピンの位置に差し替えて電源を入力する構成とし、更に、上記漏水検知器は屋根裏における空調機器類の配管等の水廻りの漏水を検出するために天井裏に設置し、且つ、ディスポーザブル自在に用いられるように構成されてなる簡易漏水検知装置を提供する。
【００１１】
この構成によれば、漏水検知装置の電源がバッテリーであるので、人目に触れない天井裏に於ける水廻り機器の水漏れを検知する漏水検知装置を、電源設備を要することなく簡単な機構で天井裏に設置することができる。
【００１２】
また、請求項２記載の発明は、上記漏水検知回路、ＣＰＵ、ブザー、バッテリーを配設した基板が、カバー及びインシュロックを具備するケースの底板部分に固定され、該ケースに収納されてなる請求項１記載の簡易漏水検知装置を提供するものである。
【００１３】
この構成によれば、漏水検知回路、ＣＰＵ、ブザー、バッテリーを設けた基板がケース底板に固着されて該ケースに収納されるので、水廻りに於ける湿潤化を回避して、検知機器類が設置、保存される。
【発明の効果】
【００１４】
請求項１記載の発明の簡易漏水検知装置を屋根裏に設置しておけば、該屋根裏において所定時間漏水状態が生じたときは、簡易漏水検知装置が該漏水状態を検知して警報音を発する。
【００１５】
而して、上記簡易漏水検知装置はバッテリーを電源としているので屋根裏の如き電源供給に資するコンセントの存在しない場所でも電源配線を不要とし、斯くして、安価な漏水検出装置を屋根裏に設置することができる。
【００１６】
又、一般の商用電源から電力をとる場合と異なり、交流／直流変換器を必要とせず、且つ、停電時においても何ら支障なく検知装置を作動させることができる。
【００１７】
また、漏水検知回路に係る電源回路は、出荷時におけるジャンパーピンの位置を設置稼働開始時のジャンパーピンの位置に差し替えて電源入力をするものであるところ、バッテリー電源の電力消費を節約する機構を備えていることとなるので、短期稼動型バッテリーをコストダウンにて供給することが可能であり、斯くして、この簡易漏水検知装置を、短期決戦を担ったディスポーザブル自在型の使用形態として安価に供給することができる。
【００１８】
請求項２記載の発明は、前記漏水検知回路、ＣＰＵ、ブザー、バッテリーを設置する基板は、カバー及びインシュロックを具備するケースの底板部分に固定され、該ケースに収納されているから検知回路に係る機器類は水廻りから安全に防護され、且つ、前記インシュロックでもって水道管等の水廻り機器類の周辺に固定することができ、検知装置の取付けを迅速、且つ、安定的に行なうことができる。
【発明を実施するための最良の形態】
【００１９】
簡易漏水検出装置の漏水検知回路及びＣＰＵはバッテリーを電源として成り、該漏水検知回路は、出荷時におけるジャンパーピンの位置を設置稼働開始時のジャンパーピンの位
置に差し替えて電源の消費電力を節約する構成を採用して、検知装置の漏水帯は屋根裏における空調機器類の配管の漏水等を検出するため天井裏に張設し、ディスポーザブル自在に用いるように構成することによって、短期稼働型漏水検知装置を安価に提供することを達成した。
【実施例】
【００２０】
以下、本発明の実施例を図１〜図３に従って詳述する。図１は、簡易漏水検知装置の回路図を示し、同図において、１は簡易漏水検知装置であり、２は該漏水検知装置の漏水帯であり、水の漏洩を受けてその水の浸潤、浸透を受ける帯状のもので形成されている。該漏水帯２には二本のケーブルが埋設されており、これ等のケーブルの漏水検知用端子Ｊ１，Ｊ２から延長して次の漏水検知回路３の二本の端子に直付けされている。
【００２１】
前記漏水帯２は、水道管等に巻き付けて取り付け、若しくは、水廻り機器の近傍に広げて設置することにより水漏れに伴う水の浸潤、浸透を受け易い状況にして使用する。
【００２２】
同図において、前記漏水帯２において前記漏水検知端子Ｊ１，Ｊ２が水の漏洩に伴う水の浸潤と浸透を受けて抵抗が少なくなって通電する。換言すると、前記漏水帯２に埋設された２本のケーブルは普段抵抗が高すぎて導通しないが、漏水によって該抵抗が所定以下に低下すると短絡して導通する（即ち、導電性が生ずる）。
【００２３】
前記漏水検出回路３は、前記漏水帯２において前記漏水検知端子Ｊ１，Ｊ２が水の漏洩に伴う水の浸潤と浸透を受けて抵抗が少なくなって通電することによって、漏水を検知する回路である。
【００２４】
具体的には、前記漏水に伴う電気抵抗の低下によって短絡し、通電をすることによって、前記漏水検出回路３に於ける漏水検知用トランジスタ４が漏水による通電の結果、オフ状況からオン状況に変わり、その検知の結果を次のＣＰＵ６を有するＣＰＵ回路６Ｃに送信する。
【００２５】
次に、前記送信を受けたＣＰＵ回路６ＣのＣＰＵ６に於いては、上記漏水検知用トランジスタ４からの信号を受け、該信号が２０秒間連続入力されることを待って、真に漏水が存在したことを認識して、ブザー回路５に設けられたブザーＢＺを鳴動させるために該ブザー回路５を駆動させるように指令する。
【００２６】
斯くして、ブザー回路５が閉じると前記ブザーＢＺが間欠鳴動音を発して、漏水検知に伴う警報音として水漏れを報告する。
【００２７】
なお、該ブザーの鳴動は、ブザーリセットボタンＳＷを押すことによってその鳴動音は停止する。そして、再度、漏水検出の為に使用する場合は、一旦、漏水検知状態を解除することが必要であり、斯かる解除をすることなく、リセットの後、検知状態が継続している場合には２０秒経過してもブザーは鳴動しない。
【００２８】
同図において、７は、バッテリーであり、前記ＣＰＵ６及び漏水検出回路３、ブザー回路５等の電気エネルギの電源として電力を供給する機能を持つものであり、漏水無検知の状態で基板の電気回路を一年以上駆動することができる電力供給能力を持っている。
【００２９】
このバッテリー７は、該バッテリー７の正の電極からダイオード８を介して前記ＣＰＵ６を備えるＣＰＵ回路６Ｃの一方の端子に接続し、他方該バッテリー７の負の電極は前記ブザーリセットボタンＳＷを介して前記ＣＰＵ回路６Ｃの他の端子に接続しており、斯くして電源を供給するための電源回路９を形成している。
【００３０】
なお、同図中において、図示は省力しているが、上記電源を供給する回路９に、ＭＯＳＦＥＴリレーを設けることによって、漏水検知を遠隔に位置する管理センタに送信するための回路を接続することも可能である。この場合は、前記リレー回路の端子から直付け送
信ケーブルを接続して機器の維持管理を統括する中央管理センタに水漏れの情報を送信することが可能である。
【００３１】
次に、図２（ａ）は、簡易漏水検知装置の図１に示した如き回路を備えた回路基板１０がケース１１に収容されたところの簡易漏水検知装置全体の外形平面図であり、図２（ｂ）は、同側面図である。前記のとおり、該ケース１１の底板部分（図示省略）に漏水検知回路、ＣＰＵ，ブザー、バッテリー等を設置した基板１０が固定されている。１２はカバー、１３はインシュロック、１４はブザー穴、１５はリセットスイッチボタン操作棒である。
【００３２】
なお、同図中、ブザー用の穴１４は、ブザーＢＺから発生する音の音量の通りを良くするための通孔である。又、前記リセットスイッチボタン操作棒１５は、前記リセットスイッチＳＷを操作するための押圧操作ハンドルであり、カバー１２に穿った小孔からオン／オフの操作を行うことができる。
【００３３】
斯くして、上記簡易検知装置を屋根裏に於ける水道管その他の水廻り機器類のそばに該漏水帯を巻きつけ若しくは広げて設置し、しかる後、該検知回路が内蔵されたケース１１を水道管その他水廻り機器類に前記インシュロック１３によって確実に緊縛し固定することができる。
【００３４】
次に、図３は、電源入力のジャンパーピンの差し替え状況及該ピンの側断面図である。同図（ａ）は、漏水検知装置の非稼働時の状態を示す。同図において１６はジャンパーピンであり、Ｐ０は電源が導通することのない模擬ピンである。該ピンＰ０は前記バッテリー７からの電力の供給を受ける必要のない在庫時又は出荷過程において、電力の供給を非導通とさせておくためのダミーであり、前記模擬ピンＰ０と一方の電源端子ピンＰ１とを前記ジャンパーピン１６に穿設された二つの穴に挿通して装着したのが、同図の状態である。
【００３５】
他方、この簡易漏水検出装置を設置稼働時、電源導通状況に切り替えるためには、同図（ｂ）に示す如く、前記一方の電源端子ピンＰ１と他方の電源端子ピンＰ２に前記ジャンパーピン１６を装着して、これ等両電源端子ピンＰ１，Ｐ２を電気的に接続することによって電源入力をさせる。
【００３６】
即ち、電源から電力供給を受けるに際し、同図（ａ）においては、漏水検知装置の検知回路製品を稼働させる以前の在庫、出荷過程におけるジャンパーピン１６の装着状態であり、エネルギ損失を伴う負荷が無い態様を示す。他方、同図（ｂ）は、上記簡易漏水検知装置を現場に設置し、稼働させる場合の態様であり、バッテリーからブザーが鳴るに足る充分の電力が通電される態様の位置に差し替えられた状態を示す。
【００３７】
このように、電源の入力操作にあたり、スライドスイッチ方式を採用せずに、差し替え方式を採用することによって出荷時、外的衝動により不慮通電状況下に至ることを回避することができる。
【００３８】
斯くして、本発明においては、ジャンパーピン１６を出荷時と設置稼働時とで差し替えることによって、可及的に、エネルギの消耗を軽減し、短期機能型の漏水検知装置独特の利点をもっている。
【００３９】
以上を総合するに、本発明は、屋根裏という普段人目に触れない場所に於いて電源及び電源取付けに伴う配線工事を必要とすることなく漏水検知装置を設置することができる。
【００４０】
本発明は、ジャンパーピンを切り替えてバッテリーの電源の切断状態から電源入力状態とすることにより、バッテリーの電力消費を簡単な機構で確実に節約することができる。
【００４１】
また、斯くして、漏水検知装置自体をローコストにて供給し、機器類提供業者が瑕疵担保責任を負担する短期間を経過するに至っては、それ以上のメンテナンスをすることなく、ディスポーザブル自在に用いるように構成されたものを提供する。
【００４２】
従って、本発明は、屋根裏という死角部分における水漏れを、瑕疵担保に係る責任期間という短期決戦を担って、該短期間においては確実に漏水検出の実質を担保すると共に、該短期間を越えては、維持管理をするには及ばないという場合に、低価格にして管理の煩雑さを軽減して、漏水検知装置を提供することができる。
【００４３】
なお、本発明は、上記実施例に限らず、例えば、漏水量等の現場状況に対応すべく漏水検知時間、或いはブザーの間欠鳴動のＯＮ、ＯＦＦ時間は自在に変更することも可能であり、且つ、ブザー音調により漏水場所等を識別する手段等を設けておくことも可能であり、その他本発明の基本精神を逸脱しない限り諸種の改変をなすことが可能であり、そして、本発明が該改変されたものに及ぶことは当然である。
【図面の簡単な説明】
【００４４】
【図１】本発明の簡易漏水検知装置に関し、その回路を示す。
【図２】（ａ）本発明の簡易漏水検知装置の全体の外形平面図であり、（ｂ）図は、その側面図を示す。
【図３】は、ジャンパーピンの切り替えを示すジャンパーピンの側断面図で、（ａ）図は、漏水検知装置出荷時のピン差込状況を示し、（ｂ）図は、同漏水検知装置の設置稼働時における切り替えたピン差込状況を示す。
【符号の説明】
【００４５】
１          簡易漏水検知装置
２          漏水帯
Ｊ１        漏水検知用端子
Ｊ２        漏水検知用端子
３          漏水検知回路
４          漏水検知用トランジスタ
５          ブザー回路
ＢＺ        ブザー
６          ＣＰＵ（マイクロコンピュータ：ワンチップマイコン）
６Ｃ        ＣＰＵ回路
ＳＷ        ブザーリセットボタン
７          バッテリー
８          ダイオード
９          電源回路
Ｒ１〜Ｒ５  抵抗器
Ｃ          コンデンサ
１０        基板
１１        ケース
１２        ケースのカバー
１３        インシュロック
１４        ブザー穴
１５        ブザーリセットボタン操作棒
１６        ジャンパーピン
Ｐ０        模擬ピン
Ｐ１        一方の電源入力ピン
Ｐ２        他方の電源入力ピン
【図１】
2008014793.tif 000003
【図２】
2008014793.tif 000004
【図３】
2008014793.tif 000005